Podtech/llm-jp-corpus-v4-ja_patent huggingface dataset:
(57)【要約】【課題】容器中蓋の脱着操作を容易にする。【解決手段】  外蓋上部に特殊な堤及び小突起を設け、これらを使用することで容器中蓋の脱着が従来より格段に容易となった。【選択図】  図５
2006232398.tif 000002
【特許請求の範囲】
【請求項１】
溶剤用等、中蓋（インナーキャップ）の付いた容器の外側の蓋（以下外蓋と記す）に、中蓋を外し且つ保持しておくための堤（ホルダー）を設けたもの。
【発明の詳細な説明】
【特許の詳細な説明】
【技術分野】
【０００１】  本発明は容器の中蓋を外し易くし、尚且つ外した中蓋を保持しておくことを可能にするものである。
【背景技術】
【０００２】  従来品は容器内の溶剤の揮発等を防ぐ効果のある中蓋と、強固な外蓋とがあるのみであった。
【発明が解決しようとする課題】
【０００３】  従来品では、中蓋を外す際に中蓋に付着した中身の溶剤等が指先に付着し安く、作業が困難であった。又外した後の中蓋の処置や、再び中蓋を閉める際にも同様の問題があった。そこでこれらの問題を解決すべく本発明がなされた。
【課題を解決するための手段】
【０００４】  外蓋に半ヘラ状の堤を設け、これを容器と中蓋の隙間に差し込むことで中蓋を外せるようにした。更にこれを馬蹄形にすることで外した後の中蓋を保持することも可能とした。
【発明を実施するための最良の形態】
【０００５】以下、本発明の実施の形態について説明する。
（イ）．従来品の容器の外蓋上部に半ヘラ状の馬蹄形の堤を設ける。尚水平方向に対面する堤間の幅は、中蓋を保持するのに適した幅とする。又、馬蹄形の堤の開放位置に小突起を設ける。
【発明の効果】
【０００６】  外蓋上部に施した半ヘラ状の堤を使用することにより容器から容易に中蓋を外し、且つ外した中蓋を馬蹄形の堤及び小突起により保持することが出来た。
【図面の簡単な説明】
【図１】  外蓋中蓋共に閉まった状態を示す図である。
【図２】  外蓋のみを外した状態を示す図である。
【図３】  半ヘラ状の堤により中蓋を外している様子を示す図である。
【図４】  馬蹄形の堤及び小突起により外した中蓋を保持している様子を示す図である。
【符号の説明】
１  容器本体
２  外蓋
３  中蓋（インナーキャップ）
４  馬蹄形の堤
５  半ヘラ状の堤
６  小突起
【図１】
2006232398.tif 000003
【図３】
2006232398.tif 000004
【図４】
2006232398.tif 000005
【図５】
2006232398.tif 000006
【手続補正書】
【提出日】平成17年4月22日(2005.4.22)
【手続補正２】
【補正対象書類名】明細書
【補正対象項目名】０００６
【補正方法】変更
【補正の内容】
【０００６】  外蓋上部に施した半ヘラ状の堤を使用することにより容器から容易に中蓋を外し、且つ外した中蓋を馬蹄形の堤及び小突起により保持することが出来た。【図面の簡単な説明】【図１】  外蓋中蓋共に閉まった状態を示す図である。【図２】  外蓋のみを外した状態を示す図である。【図３】  半ヘラ状の堤により中蓋を外している様子を示す図である。【図４】  馬蹄形の堤及び小突起により外した中蓋を保持している様子を示す図である。【図５】  外蓋上部の構造のみを示す図である。【符号の説明】１  容器本体２  外蓋３  中蓋（インナーキャップ）４  馬蹄形の堤５  半ヘラ状の堤６  小突起【手続補正３】
【補正対象書類名】図面
【補正対象項目名】全図
【補正方法】変更
【補正の内容】
【図１】
2006232398.tif 000007
【図２】
2006232398.tif 000008
【図３】
2006232398.tif 000009
【図４】
2006232398.tif 000010
【図５】
2006232398.tif 000011
(57)【要約】      （修正有）【課題】簡単且つ手っとり早く飲食ができる、飲料物が封入されたスプーンの提供。【解決手段】スプーン先端の容器部分に飲食物（お茶、紅茶、コーヒーなど）を入れ、液体の透過性のあるシートで封入する。お湯の中にそのまま入れて撹拌して飲食する。又、粉末のコーヒー、茶、ジュース、調味料などスプーン容器部分に密閉封入し、飲食時にそのシートをはがしてお湯を入れたコップ中に入れ撹拌して即、飲食可能である。【選択図】図２
2006232399.tif 000002
【特許請求の範囲】
【請求項１】
スプーンの容器部分に飲食物を入れ、液体の透過性のあるシートか又は透過性のないシートで容器のふち部分を密封する。
【発明の詳細な説明】
【技術分野】
【０００１】  本発明は、好みの飲食物を簡単、かつ手取り早く飲食できるスプーンに関する。〔背景技術〕【０００２】  従来、飲食物を取る時、例えば、お茶、紅茶、コーヒー、煎じ薬等の場合、少量づつスプーンで、成分を溶出させる容器に入れて、お湯等を注ぎ、溶出させてから、必要なものを添加し、撹拌して飲食する。又お茶、紅茶など少量づつパックされたものをコップに入れ、お湯を注いで飲食する。又スティック状の袋に入ったコーヒーなどをコップに入れて、お湯を注いで飲食する場合など様々であるが、いずれもお湯の中に、溶出した成分の中か又は飲食物をそのまま投入した中へ、更に、種々のものを添加し、ほとんど撹拌して飲食する。〔発明の開示〕〔発明が解決しようとする課題〕【０００３】  飲食物を撹拌具すなわちスプーンと合体できないか。〔課題を解決するための手段〕【０００４】  スプーン先端の容器部分に飲食物（例えば、お茶、紅茶、コーヒーなど）を入れ、液体の透過性のあるシートで封入する。そのままお湯などの中に入れて撹拌することにより、成分が溶出し、更に添加物を入れて、撹拌するなど簡単かつ手取り早く飲食できうる。  又粉末のコーヒーや、末茶、粉末のジュースなどの飲食物をスプーン先端の容器部分にシートで密封したものを、シートをはがしてコップに入れ、お湯を注ぎ、そのスプーンで撹拌できる。いずれも簡単かつ手取り早く飲食できうる。〔発明を実施するための最良の形態〕【０００５】  スプーンの先端の容器部分（１）に、お茶、紅茶、コーヒー、煎じ薬などを一定量入れて、液体に透過性のあるシート（２）（温度に耐えられ清潔なものを使用）をスプーンの容器部分のふち（３）に接着する。例えばプラスチックのスプーンであればシートを熱で接着する。  飲食物内蔵のスプーンをお湯の中に入れると、中の成分が溶出してくる。さらにスプーンで撹拌しながら添加物を入れて混ぜ合せ飲食する。簡単かつ手取り早く飲食することができる。【０００６】  固体の飲食物（粉末のコーヒー、茶、ジュース、みそ汁、即席めんの調味料など）、液体の飲食物、ペースト状の飲食物などをスプーン先端の容器部分に入れ透過性のないシート（２）容器部分のふち（３）を熱で密閉する。  飲食物を、スプーンのシートの取手（４）部分からはがして、お湯の中に入れ、スプーンで撹拌して、即飲食可能である。【０００７】  スプーンの先端がフォーク状になっている場合、容器部分に調味料や具を入れてシートで密閉する。飲食時にシートをはがして、内容物を入れ、お湯などを入れて、即席めんも簡単、手取り早く飲食できる。〔産業上の利用可能性〕【０００８】  スプーンの容器部分（１）への飲食物の封入は比較的容易に製作可能である。好みの飲食物を簡単に手取り早く飲食することができ、広範（ティータイム、食後、接客時など）なるかつ大量の利用可能性を有する。
【図面の簡単な説明】
【０００９】
【図１】「スプーンの平面図〕
【図２】「スプーンの正面図〕
【符号の説明】
【００１０】１  容器部分２  シート３  容器部分のふち４  シートの取手
【図１】
2006232399.tif 000003
【図２】
2006232399.tif 000004
(57)【要約】【課題】ＣＤ収納が、場所をとったり，選びにくかったりしてしまうという不都合を解決すること。【解決手段】ＣＤ収納を、パネル型にしたり，棚型にしたりすることなどによりこの課題を解決する。【選択図】なし【特許請求の範囲】
【請求項１】
ＣＤ収納をパネル型にしたもので壁面等に設置出来るようにしたところを特徴とするＣＤ収納物。
【請求項２】
ＣＤ収納を棚型にしたもので壁面等に設置出来る様にし、より多くの収納が可能なよううにする為、数枚重ね開きするよう事を特徴としたＣＤ収納棚です。
【請求項３】
請求１と２について、大きさを様々に改良する。
【発明の詳細な説明】
【技術分野】
【０００１】本発明は、ＣＤ収納に関するものであり、ＣＤの収納をパネル型にすることによって、ＣＤを選びやすく、取り出しやすくしたものです。
【背景技術】
【０００２】従来からカセットテープケースとして利用されている。この例として特許文献１や、非特許文献１に開示されているかもしれませんが私は存じません。
【発明の開示】
【発明が解決しようとする課題】
【０００３】しかし、従来のような，箱型の形では、場所をとってしまうほか、探すのに不便です。本発明は、このようなＣＤ収納を場所を取り探す時間もかかるという不都合を解消することを課題とします。
【発明を実施するための手段】
【０００４】この課題を解決するための請求項１の発明は、ＣＤ収納を、壁面に設置することを特徴とする。選びやすいＣＤ収納です。空いている壁面を利用することによって、ＣＤジャケットを見やすくし、曲名、歌手を書き入れるスペースを取ることによって選びやすく、場所をとることを防止でき、ディスプレイ用としても最適です。
【０００５】また請求項目２の発明は、ＣＤの収納をさらに増やすことが出来る様に請求項１をさらに数枚組み合わせて開閉出来るようにし、裏表両方に収納出来る様にすることによって、さらに多くのＣＤが収納出来るようになる為、場所をとることを防止し選びやすく、場所をとることを防止でき扉型にしたことにより棚方になります。
【０００６】また請求項１や請求項２の大きさを半間を目安に様々に改良することにより、ニーズに合った大きさが出来る様にしたことです。従来からあるリモコンの電源のスイッチでテレビのスイッチを消すことによって、テレビの電源ランプも付けたり消えたり出来ることが省エネにつながります。
【発明の効果】
【０００７】本発明により、ＣＤ収納の場所をとってしまうことや、探す手間がかかってしまうという府つぃ烏合は置きません。
【発明を実施するための最良の形態】
【０００８】ＣＤ収納を壁面に設置出来るようにしたことを特徴とする。場所を取らず、手間をかけずにＣＤを探せ、士かもディスプレイ的要素を兼ね備えたＣＤ収納です。背景技術をＭＤサイズに応用し、一枚板状の上でこれを可能にすることにより事，壁掛けにする事により，場所をとったり探したりする事を防止することが出来る
【産業上の利用可能性】
【０００９】本発明に係るＣＤ収納は，工業的に量産することが可能になる為産業上の利用可能性を有する。
(57)【要約】【課題】飲料用缶には取っ手がついていない。また、取っ手を取り付けるにしても複数の部品を必要としたり、別部品として飲用時に取り付ける形態のものである。【解決手段】単一の平面的な簡易な取っ手部品ｂ．を缶本体ａ．に設けた飲料用缶である。【選択図】図２
2006232395.tif 000002
【特許請求の範囲】
【請求項１】
簡易な単一の平面的な取っ手部品を取り付けたことを特徴とする飲料用缶。
【発明の詳細な説明】
【技術分野】
【０００１】  この発明は、ビールなどの飲料用缶の形状に関する。
【背景技術】
【０００２】  従来のビール等の飲料用缶は取っ手をもたないものの利用である。【０００３】  また、従来の缶に取っ手をつける場合でも、いくつかの部品を利用したものである。
【発明の開示】
【発明が解決しようとする課題】
【０００４】  しかしながら、以上の技術によれば、缶を直接握るために缶の温度を直接感じると同時に、缶の中身を握った手の体温であたためてしまい、ちょうどよい温度で缶の中身を飲用することができない。【０００６】  また、缶に取っ手をつける場合でも、従来の技術では取っ手自体が複数の部品を必要としたり、缶本体とは別の部品として取っ手を飲用時に装着するものである。【０００７】  そこで今回の発明は、従来の缶と一体化した簡易な取っ手をもった飲料用缶を提供することを課題とする。
【課題を解決するための手段】
【０００８】  以上の課題を解決するために、第一発明は、単一の取っ手部品を取り付けたことを特徴とする飲料用缶である。【０００９】  第ニ発明は、取っ手部品は平面的な素材で作られた、缶本体と一体化した取っ手を有する飲料用缶である。
【発明の効果】
【００１０】  第一発明または第二発明によれば、単一の平面的な取っ手部品を缶本体に取り付けたので簡易で飲みやすい。また生産が容易且つ運搬時に容積や幅をとらないために経済的である。
【発明を実施するための最良の形態】
【００１１】  この発明の一実施形態を、図１および図２に示す。
図２に示す缶夲体ａ．に平面的な単一の取っ手部品ｂ．が、巻き付けるように取り付けられている。取っ手部品の平面形状を図１に示す。この取っ手部品ｂ．はｃ．の部分のみ缶本体に取り付けられているので、点線に示す部分を折り曲げて、缶本体から引き上げられるようになっている。【００１２】「実施形態の効果」
図３に示したのは、折り曲げた状態を示している。矢印で示しすように、三か所の部分を折り曲げることにより、取っ手のある缶容器として利用することができる。【００１３】また、ｆ．は折り曲げた取っ手握り部分を固定すると同時に、取っ手を握った時に、取っ手の重量のかかる部分が握り手に食い込まないような持ちやすい構造となっている。【００１４】「他の実施形態」
図２の実施形態によれば、取っ手部品と缶本体の取り付けは二か所となっているが、他の実施形態では本体との取り付け形態は三か所あるいは一か所のものでも良い。また、ｄ．缶上部のｅ．蓋の形態は全面が開放できる形態のものなど、既存の製缶技術によるいかなる缶形態ものでも良い。
【図面の簡単な説明】
【００１５】
【図１】この発明の取っ手部分の平面形態を示す図である。
【図２】この発明の一実施形態を示す斜視図である。
【図３】この発明の一実施形態の使用時の状態を示す斜視図である。
【符号の説明】
ａ．缶本体
ｂ．取っ手部品
ｃ．取り付け箇所
ｄ．缶上部
ｅ．蓋または飲み口部分
ｆ．取っ手固定部
【図１】
2006232395.tif 000003
【図２】
2006232395.tif 000004
【図３】
2006232395.tif 000005
(57)【要約】【課題】  一般の家庭用灯油ポリタンクから，家庭ヒタ−スやスト−ブのカ−トリッジタンクに灯油がポンプで給油される，ポンプはカ−トリッジタンクが満タンになると，自動的にポンプを停止するものが市販されている。しかし，灯油ポリタンクに，家庭のホ−ムタンク（２００〜４００Ｌ）から給油する時，ポリタンク（１８Ｌ）にどこまで灯油が入ったか分からない，目測が困難である。満タンに気づかなく，入れすぎて外にこぼしてたり，重くなり，そのポリタンクを持ち運べなくなたりする。また，満タンでも重くて持ち運べない人もある。【解決手段】灯油ポリタンクのキャップに満タンを報知する装置を取り付けた。満タンは重い人には，報知器のレベルア−ムの長さを調節し，ポリタンクに灯油が適量で報知することができる。【選択図】  図１
2006232390.tif 000002
【特許請求の範囲】
【請求項１】
灯油ポリタンクのキャプに設けた給油の満タンの報知器。
【請求項２】
浮きボトルの長さ調整でポリタンクに給油半分，又は滴量を報知する請求項１の報知器。
【請求項３】
他の同形のポリタンクに移設し，共用が可能な請求項１の報知器。
【発明の詳細な説明】
【技術分野】
【０００１】本発明は，家庭の大きい灯油ホ−ムタンク（２００〜４００Ｌ）から火気厳禁灯油ポリタンク（１８Ｌ）に給油する時，灯油が満タンになったのを知らせる装置である。
【背景技術】
【０００２】ポリタンクから一般家庭ヒタ−やスト−ブのカ−トリッジタンクに給油するのにポンプで行なわれるている。カ−トリッジタンクには油量表示計があり，ポンプもカ−トリッジタンクが満タンになると，ポンプの自動停止装置が設いているのが市販されている。しかし，火気厳禁ポリタンクに家庭のホ−ムタンクなどから給油するときは灯油がどのくらい入ったのか量が分からない，目測が困難である。
【発明の開示】
【発明が解決しようとする課題】
【０００３】上述のように，火気厳禁灯油ポリタンクの給油が満タンになったのに気がつかず，灯油を入れ過ぎてこぼしたり，それで重くなったポリタンクを持ち運べなくなる。又，満タンでも重くて持ち運べない年配者にも，給油を加減した適量にしたい。
【課題を解決するための手段】
【０００４】給油レベル報知器でポリタンクの満タンをブザ−とランプの点灯で報知する。【０００５】満タンのポリタンクが重く持ち運びが困難な人には，報知器のレベルア−ムの長さを調節して油量を半分，又は適量にすることができる。【０００６】給油レベル報知器はキャップに設けてあるので，他の同形のポリタンクに移設，共用できる。
【発明の効果】
【０００７】ポリタンクに給油時，いちいち懐中電気などで逆光にしてポリタンク内の給油量を見守らなくてもよい，入れ過ぎたりしなくなった，安心した給油ができる。【０００８】報知器のレベルア−ムの長さ調節で，ポリタンクを持ち運びできる適量な給油でも報知できる。【０００９】給油レベル報知器はキャップと一体で，他の同形ポリタンクに移設，共用できるので経済的である。
【発明の実施するための最良形態】
【００１０】以下，本発明の実施の形態は図２に基づいて説明する。
【００１１】図２において，１はポリタンクのキャップ，２は報知器ユニットで近接スイッチ３，ブザ−４，ランプ５，電池６，メインスイッチ１１で構成されている。灯油レベルア−ム７は，マグネット８，ア−ム長さ調節ホルダ−９，浮きボトル１０で構成されている。
【００１２】上記構成の作動を説明する。図１に見られるように，灯油ポリタンクの水平側受油口に報知器キャップを付ける。図２で，メインスイッチ１１をＯＮの状態にして，ホ−ムタンクのバルブを開く。ポリタンク内の灯油量が浮きボトル１０に達すると，レベルア−ム７でマグネット８が上昇して近接スイッチを作動させ，ブザ−とランプで満タンを知らせる，その時ホ−ムタンクからの供給バルブを締め，報知器機のメインスイッチ１１を切る。
【図面の簡単な説明】
【００１３】
【図１】家庭ホ−ムタンクからポリタンクへの給油。
【図２】報知器とレベルア−ム
【符号説明】
１．  キャップ
２．  報知器ユニットカバ−
３．  近接スイッチ
４．  ブザ−
５．  ランプ
６．  電池
７．  レベルア−ム
８．  マグネット
９．  レベルア−ム調節ホルダ−
１０．浮きボトル
１１  メインスイッチ
【図１】
2006232390.tif 000003
【図２】
2006232390.tif 000004
(57)【要約】【課題】突起物付きペットボトルキャップを提供する。【解決手段】キャップ体の外周面に指を掛ける事が可能な突起物を設け、握力の弱い人や、手袋を着用している人でもペットボトルキャップを容易に開閉出来る事を特徴とする突起物付きペットボトルキャップ。【選択図】図１
2006232385.tif 000002
【特許請求の範囲】
【請求項１】
キャップ体の外周面に指を掛ける事が可能な突起物を設け、握力の弱い人や、手袋を着用している人でもペットボトルキャップを容易に開閉出来る事を特徴とする突起物付きペットボトルキャップ。
【発明の詳細な説明】
【技術分野】
【０００１】  本発明は、突起物付きペットボトルキャップに関するものである。
【背景技術】
【０００２】  従来、円状のペットボトルキャップがあった。
【発明の開示】
【０００３】  そのために、次のような問題点があった。
イ）外周面に縦に凸凹の溝が設けられていたが、握力が弱い人や高齢者にはペットボトルキャップを開閉する事が困難な為に市販されているオープナーを購入し、外出先にも持参していた。
ロ）手にハンドクリームを塗った人、手袋をはめている人が手を滑らせていた。
ハ）円状だった為、落としてしまうと転がってしまった。
【問題を解決する為の手段】
【０００４】  キャップ体の外周面に指を掛ける事が可能な突起物を設け、握力の弱い人や、手袋を着用している人でもペットボトルキャップを容易に開閉出来る事を特徴とする突起物付きペットボトルキャップ。
【発明の効果】
【０００５】  手が滑らなくなり、キャップの開閉が容易になり、オープナーが必要無くなった。
また、キャップを落としてしまっても転がらなくなった。
【発明を実施する為の最良の形態】
【０００６】  以下、本発明の実施の形態について説明する。
イ）ペットボトルキャップ（１）の外周面（２）に指が掛かる突起物（３）を外方向に設ける。
ロ）突起物（３）の周側部には、縦に凸凹の溝（４）を設けている。
本発明は以上のような構成で、これを使用する時はペットボトルキャップ（１）の外周面（２）に設けられた突起物（３）にペットボトルキャップ（１）を包み込むように指と手の平を添えて、ペットボトルキャップ（１）を廻して開閉する。突起物（３）が外方向に設けてある為に指がしっかり引っ掛かってペットボトルキャップ（１）が回りやすい。ペットボトルキャップ（１）を取って机上に置いても、突起物（３）がある為に転がりにくい。なお図面上に突起物（３）は２箇所設けた状態を示しているが、３箇所にしても良い。
また、ペットボトル限定ではなく調味料やジュース等のビンのキャップとしても活用が可能である。
【図面の簡単な説明】
【０００７】
【図１】本発明の上部面
【図２】本発明の斜め側面図
【符号の説明】
【０００８】１  ペットボトルキャップ
２  外周面
３  突起物
４  凸凹の溝
【図１】
2006232385.tif 000003
【図２】
2006232385.tif 000004
(57)【要約】【課題】  従来のネクタイ収納器具には折りたたみ又は収納する際に手間と時間がかかっていた。【解決手段】  本発明のネクタイ収納器具はネクタイと板状のステンレスを同時に巻き取ることで従来のネクタイ収納器具で発生していた、手間と時間を大幅に削減し、図１の１でステンレスの巻き込む力でネクタイの布が伸ばされシワ防止にもつながる。従来にない簡易的なもので提供する事ができる。【選択図】  図１
2006232386.tif 000002
【特許請求の範囲】
【請求項１】
本発明は、ネクタイ収納に関するものである。包まる加工が施された長方形の板状のステンレスにネクタイを簡易的に巻きつけ収納を容易にする。又、本発明を利用して纏まった複数のネクタイを一つずつ収納する通気加工を施した吊るし型のビニール素材の収納袋である。
【発明の詳細な説明】
【技術分野】
【０００１】  本発明は、折りたたみ又は収納するのが難しいネクタイを簡易的に纏め、収納するものに関する。
【背景技術】
【０００２】  従来のネクタイ収納にはネクタイ収納棚のようにネクタイを手で包み収納するものがある。
（例えば、特許文献１参照。）
【特許文献１】公開平１１−９６７７２  号
【発明の開示】
【発明が解決しようとする課題】
【０００３】  従来のネクタイ収納では、ネクタイを手で巻き取らなければならないという手間が発生し、上手く渦巻き状に巻き取る事ができなかった。プラスチック容器を用いた巻取り器具も存在するが、巻き取る手間は発生し収納する時間がかかる。一つあたりの器具のコストが高かった。【０００４】  本発明は、このような従来の構成が有していた問題を解決しようとするものであり、簡易的にネクタイを巻き取り収納し且、優美に整えることができる。巻き取る手間、時間を解決するものである。
【課題を解決するための手段】
【０００５】  そして、本発明は上記目的を達成するためにネクタイ形状の少しの力を加えただけで包まる板状のステンレスを利用し、手間・時間の問題解決を実現させ収納し難さを解決する。
【発明の効果】
【０００７】  上述したように本発明のネクタイ収納器具は、ベロア素材でカバーされ包まる加工を施してあるネクタイ形状のステンレスにネクタイ本体をセット、ステンレスが包まる加工の力を利用して瞬時にネクタイを巻き取りることができ、それを容易に複数収納できるネクタイ収納器具。収納袋にはビニールを利用し軽量、通気口を空ける事で換気をよくさせている。収納袋内部の底面は下へ斜めの形状で収納し易さ、収納の安定を実現している。フックと直結しているジャバラ状のゴムで回転を実現し、あらゆる角度でフックをかける事が可能である。
【発明を実施するための最良の形態】
【０００８】  以下、本発明の実施の形態を図１に基づいて説明する。【０００９】  図１の１はステンレス、２はベロアカバー、３は固定切り込み、図２のａはフック、ｂはゴムジャバラ、ｃは回転軸、ｄはビニール、ｅは投入口。ｆは通気口。
【実施例】
【００１０】  二つ折りにしたネクタイを図１の３に固定する。内側に手で少し力を加えることで包まる加工が施されたステンレスはネクタイと一緒に渦巻き状に巻き取られる。図１の２がネクタイとステンレスとがばらばらになるのを防ぎきれいに巻き取る。ネクタイを外す場合は渦巻き状のステンレスを垂直に伸ばし、脱着する。
【図面の簡単な説明】
【００１１】
【図１】本発明のネクタイ形状ステンレス正面図。
【図２】本発明のネクタイ収納袋正面図。
【符号の説明】
【００１２】（図１）
１  ネクタイ形状ステンレス
２  ベロアカバー
３  ネクタイ固定切り込み
（図２）
ａ  フック
ｂ  ゴムジャバラ
ｃ  回転軸
ｄ  ビニール
ｅ  投入口
ｆ  通気口
【図１】
2006232386.tif 000003
【図２】
2006232386.tif 000004
(57)【要約】【課題】市販のバターを等分に押し切り分ける器具と、その器具をケースふた裏面に取り付け、器具の収納とバターの保存が一体化したバターケースを提供する。【解決手段】市販バターを等分の大きさに押し切り分けることのできる器具を薄刃でつくり、その器具を使用しない時、バターケースのふた裏面に収納できるように、ふた裏に平行に二つ並んだ弾力性のある突起物を数ヶ所つけ、器具のふちを二つの突起物の間に弾力を利用してはめ込み取り付ける。バターを等分に押し切り分ける器具の収納とバターの保存が一体化したことを特徴とするバターケースである。【選択図】図１
2006232389.tif 000002
【特許請求の範囲】
【請求項１】
市販バターを等分の大きさに押し切り分けることのできる器具を薄刃でつくり、その器具を使用しない時、バターケースのふた裏面に収納できるように、ふた裏に平行に二つ並んだ弾力性のある突起物を数ヶ所つけ、器具のふちを二つの突起物の間に弾力を利用してはめ込み取り付ける。バターを等分に押し切り分ける器具の収納とバターの保存が一体化したことを特徴とするバターケース。
【発明の詳細な説明】
【技術分野】
【０００１】本発明は市販のバターを等分に押し切り分ける器具と、その器具をケースふた裏面に取り付け、器具の収納とバターの保存が一体化したバターケースに関するものである。
【背景技術】
【０００２】従来、保存用バターケースはあったが、ケースにカッター機能が備え付けられているものはなかった。
【発明の開示】
【発明が解決しようとする課題】
【０００３】そのために次のような問題があった。
（イ）バターを使用する際、都度カットする手間、料理に使う際の計量の手間。
（ロ）カッターを作った場合の収納場所。
本発明はこれらの問題を解決するためになされたものである
【課題を解決するための手段】
【０００４】市販バターを等分の大きさに押し切り分けることのできる器具を薄刃でつくる。
その器具を使用しない時、バターケースふた裏面に収納できるように、ふた裏に平行に二つ並んだ弾力性のある突起物を数ヶ所つける。器具のふちを二つの突起物の間に弾力を利用してはめ込み取り付け、バターを等分に押し切り分ける器具の収納とバターの保存を一体化させる。
以上を特徴とするバターケースである。
【発明の効果】
【０００５】（イ）市販のバターを瞬時に等分に切り分けるので、バターを使用する際都度カットする手間、料理に使う際の計量の手間が省ける。
（ロ）バターを保存するケースのふた裏面にカッター機能がある器具が備えつけられているので、バターをカットする時に即使用でき、使用後も即取り付けられるため、器具の収納とバターの保存が効率的。
【発明を実施するための最良の形態】
【０００６】  以下、本発明の実施の形態について説明する
（イ）一般的な市販の２００ｇバターを等分に切り分ける器具（１）を薄刃（２）で作る。その際、一般的な市販バターは、各メーカー縦６ｃｍ、横１２ｃｍとほぼ同サイズであること、バターの形状が正長方形ではないことと、メーカーによって大きさに多少の差があることを考慮し、薄刃（２）の間隔を決める。
図２に示すように、２００ｇバターを一片１０ｇになるように縦は一本の薄刃（２）によって２分割、横は９本の薄刃（２）によって１０分割し、２０等分に切り分けられる器具を作る。
バターの形状が正長方形ではないこと、メーカーによって大きさに多少の差があることから、横を１０分割した薄刃（２）の間隔は１．２ｃｍとし、一番両外側の薄刃（２）とふち（３）の間隔を１．４ｃｍ、縦を２分割した薄刃（２）とふち（３）の間隔を３．２ｃｍする。
また、バター一片５ｇになるようにしても良い。その場合は図３に示すように２００ｇバターを縦は一本の薄刃（２）によって２分割、横は１９本の薄刃（２）によって２０分割し、４０等分に切り分けられる器具を作る。
横を２０分割した薄刃（２）の間隔は０．６ｃｍ、一番両外側の薄刃（２）とふち（３）の間隔を０．８ｃｍ、縦を２分割した薄刃（２）とふち（３）の間隔を３．２ｃｍとする。
（ロ）切り分ける器具（１）の両横は、手のひらで押しやすいように丸みを帯びた形状にする。
（ハ）バターケースのふた裏面に器具を取り付けるため、平行に二つ並んだ弾力性のある突起物を一対として、両縦横２対ずつ計８ヶ所をふた裏につける。
本発明は以上のような構成でこれを使用する時はバターの包装紙を開け、バターと切り分ける器具のふち（３）より内側部分を合わせて、薄刃（２）で上から押し切る。バターの大きさはメーカーによって多少の差があるため、切り分ける器具（１）をバターに合わせる際は真上から見てふち（３）より内側部分の中心に来るようにする。
バターを押し切り、薄刃（２）がバターの下にある状態で上からケースをかぶせ、バターに触れないように包装紙ごとひっくり返す。
ケースにバターを詰め、包装紙と器具（１）を外す。
バターを詰めた後、器具を収納するために器具のふち（３）８ヶ所を二つの突起物の間に弾力を利用してはめ込んで取り付ける。
【図面の簡単な説明】
【０００７】
【図１】本発明の一部斜視図
【図２】本発明の一部平面図
【図３】本発明の他の実施例を示す一部平面図
【図４】本発明の一部平面図
【図５】本発明の平面図
【図６】本発明の一部側面の部分拡大図
【符号の説明】
【０００８】１  バターを切り分ける器具
２  薄刃
３  ふち
４  ケースふた裏面
５  突起物
６  ケースふた側面
【図１】
2006232389.tif 000003
【図２】
2006232389.tif 000004
【図３】
2006232389.tif 000005
【図４】
2006232389.tif 000006
【図５】
2006232389.tif 000007
【図６】
2006232389.tif 000008
(57)【要約】【課題】  幌開閉式自動車において、その車高を高くすることなく車室内に必要とされるヘッドクリアランスを得ること。【解決手段】  幌クローズ時に展張状態にある幌部材１１を緊張状態に保持するために、幌部材１１の下方において幌部材の後方部分と前方部分の間に張設されるテンションクロス２３の形状を、後端２３ｂ側より前端２３ａ側の方が横幅が小さくなる台形状とする。  そのようにすることにより、テンションクロス２３の前端２３ａ側部分は、搭乗者の頭Ｈの頭頂部Ｈ′の上に位置することなく搭乗者の頭上には比較的大きなヘッドクリアランスが得られることになる。【選択図】        図１
2006232104.tif 000002
【特許請求の範囲】
【請求項１】
車室（６）の上方を幌部材（１１）で開閉自在に覆蓋し得るようにした幌開閉式自動車であって、幌部材（１１）の下面側に、該幌部材（１１）の展張時に該幌部材（１１）を緊張状態に保持するためのテンションクロス（２３）を設けるとともに、該テンションクロス（２３）の形状を、後端（２３ｂ）側より前端（２３ａ）側の方が横幅が小さくなる台形状としたことを特徴とする幌開閉式自動車。
【発明の詳細な説明】
【技術分野】
【０００１】
本願発明は、幌開閉式自動車に関し、さらに詳しくは幌開閉式自動車における幌構造に関するものである。
【背景技術】
【０００２】
幌開閉式自動車は、折り畳み可能で防水性をもつ幌部材でもって車室の上方を開閉自在に覆蓋する構造をもっており、その多くがスポーツカータイプのものである。そしてその車の特質から、低車高のものが多く、車室内で十分なヘッドクリアランス（搭乗者の頭部と幌部材との間の隙間）が得られにくいという問題がある。
【０００３】
一方、幌開閉式自動車においては、幌部材によって車室上方を覆ったとき（幌クローズ時）に幌部材が下方に垂れ下がってこないように幌部材を緊張状態に維持するための幌緊張保持機構が設けられる（たとえば、特許文献１）。図３は、その幌緊張保持機構の一従来例を示しており、同図において符号２２はバックウィンドウアセンブリであり、同バックウィンドウアセンブリ２２は、幌部材展張時（幌クローズ時）に自重で下方（矢印Ｘ方向）に垂れ下がらないようにするために通常テンションクロスと呼称されている幌緊張部材２３によって車体前方側（矢印Ｙ方向）に引張られている。図４は、この従来例（図３図示）の幌構造を下方から（車室側から）見たものであるが、同図４に示す従来構造のものにおいてはテンションクロス２３は矩形形状とされており、その前方部分が搭乗者の頭Ｈの頭頂部Ｈ′の上方に位置するようになっている。そのため、図４に示す従来例のものにおいては、このテンションクロス２３が車室内におけるヘッドクリアランスを小さくする一因となっている（図５（ａ）において符号Ｃ1で示す）。
【０００４】
【特許文献１】特開昭６１−２１５１１８号公報
【発明の開示】
【発明が解決しようとする課題】
【０００５】
本願発明は上記のような技術的背景のもとになされたもので、幌開閉式自動車において、その車高を高くすることなく車室内に必要とされるヘッドクリアランスを得ようとするものである。
【課題を解決するための手段】
【０００６】
本願発明の幌開閉式自動車は、幌クローズ時に展張状態にある幌部材１１を緊張状態に保持するために、幌部材１１の下方において、幌部材の後方部分と前方部分の間に張設されるテンションクロス２３の形状を、後端２３ｂ側より前端２３ａ側の方が横幅が小さくなる台形状としたことを基本的特徴とする。
【０００７】
そのようにすることにより、車室６内において、搭乗者の頭Ｈの頭頂部Ｈ′の上方に従来より大きなヘッドクリアランスが得られるようにしたものである。
【発明の効果】
【０００８】
本願発明の幌開閉式自動車は、上記のように、幌部材１１の下面側に該幌部材１１の展張時に該幌部材１１を緊張状態に保持するためのテンションクロス２３を設けるとともに、該テンションクロス２３の形状を、後端２３ｂ側より前端２３ａ側の方が横幅が狭くなる台形状としたものであり、それによって車室内で搭乗者の頭Ｈの頭頂部Ｈ′の上方に従来より大きなスペースがとれ、その結果、車高を高くすることなく十分なヘッドクリアランスが得られるという効果がある。
【発明を実施するための最良の形態】
【０００９】
図１は、本願発明の実施例にかかる幌開閉式自動車における幌部材１１を下方から（車室側から）みた状態を示しているが、図１の実施例においては、テンションクロス２３の形状を後端２３ｂ側より前端２３ａ側の方が横幅が小さくなる台形状としている。そのため、テンションクロス２３の前端２３ａ側部分は、搭乗者の頭Ｈの頭頂部Ｈ′の上に位置することなく搭乗者の頭上には比較的大きなヘッドクリアランス（図５（ｂ）において符号Ｃ2で示す）が得られることになる。
【００１０】
なお、図１の実施例の幌構造は次のようにして形成される。すなわち、まず図２（Ａ）に示すように、バックウィンドウアセンブリ２２におけるリヤバックウィンドウ２４の上方部分にテンションクロス２３の後端部２３ｂ側が縫合され、それに続いて図２（Ｂ）に示すように、バックウィンドウアセンブリ２２の前端部２２ａにトップクロスフロント２１の後端部２１ｂが縫合される。次いで、図２（Ｃ）に示すように、テンションクロス２３がステー２５，２６とトップクロスフロント２１の間を通って前方へ引き出され、さらにその前端部２３ａがステー２７に面ファスナーなどで止着されると、図１に示す実施例の状態となる。
【図面の簡単な説明】
【００１１】
【図１】本願発明の実施例にかかる幌開閉式自動車における幌構造の下面図である。
【図２】図１の幌開閉式自動車における幌構造の組立工程図である。
【図３】幌開閉式自動車における従来の幌構造の構造該略図である。
【図４】幌開閉式自動車における従来の幌構造の下面図である。
【図５】従来構造例におけるヘッドクリアランスと、本願発明の実施例におけるヘッドクリアランスの比較図で、（ａ）が従来構造例の場合を示し、（ｂ）が本願発明実施例の場合を示している。
【符号の説明】
【００１２】
１は車体、３はフロントガラス、１１は幌部材、２１はトップクロスフロント、２２はバックウィンドウアセンブリ、２３はテンションクロス、２４はリヤバックウィンドウ、２５，２６，２７はステーである。
【図１】
2006232104.tif 000003
【図２】
2006232104.tif 000004
【図３】
2006232104.tif 000005
【図４】
2006232104.tif 000006
【図５】
2006232104.tif 000007
(57)【要約】【課題】  殺虫剤組成物は、殺虫効果が高いほど人体に及ぼす悪影響も大きくなるが、そうした問題点を解決し、人体にとって安全に、しかも無害に、瞬時に害虫を失神させると共に、殺虫に至らしめる。【解決手段】  人体に安全な、しかも無害な、発酵エタノールとクエン酸及び精製水を用いたことを特徴とする。【特許請求の範囲】
【請求項１】
デンプン、糖蜜等をアルコール発酵させて生成したエタノール（ＣＨ３ＣＨ２ＯＨ）と、クエン酸（Ｃ６Ｈ８Ｏ７）、精製水〈Ｈ２Ｏ）を必須成分とする家庭用殺虫剤組成物。
【請求項２】
請求項１の家庭用殺虫剤組成物を、噴射剤が液化石油ガス（ＬＰＧ）などを使わない、片手で使用できる圧力ポンプ式噴霧器で、害虫に噴霧することを特徴とする、請求項１記載の家庭用殺虫剤組成物。
【発明の詳細な説明】
【技術分野】
【０００１】  本発明は、家庭用殺虫剤組成物に関し、害虫に対し噴霧することによって、瞬時に失神すると共に、殺虫に至らしめ、害虫等が媒体となる雑菌をも除菌する効果を持ち、しかも、人が食する物に付着したとしても、安心して使用できる家庭用殺虫剤組成物に関する。
【背景技術】
【０００２】  従来、家庭用殺虫剤としては、殺虫効果が大きければ大きいほど人体に及ぼす害も大きくなるというものが生産、使用されている。【０００３】  使用形態として、噴射剤を使用しているものが多く、例えば、液化石油ガス〔ＬＰＧ〕、炭酸ガス、窒素ガス等を挙げることが出来るが、そうしたものは生産効率的にも不都合が生じると共に、廃棄処分時などに於いても爆発等の危険が発生する。
【発明の開示】
【発明が解決しようとする課題】
【０００４】  上述の如く、従来、生産また使用されている家庭用殺虫剤組成物は、殺虫効果が大きければ大きいほど人体に何らかの悪影響があり、それが付着したものを人間が食することには害がある。【０００５】  このため、食物或いは台所用品などに害虫が留まっていても、手で追い払うのが現状である。【０００６】  本発明はこのような点を考慮してなされたものであり、その目的は、食物や台所用品などに留まった、或いは飛んでいる害虫に対して、安全にしかも無害に、殺虫剤組成物を片手で使用できる圧力ポンプ式噴霧器で噴霧することによって、瞬時に失神すると共に、殺虫に至らしめることが出来るようにすることであり、しかも安価に且つ容易に製造できるようにすることである。
【課題を解決するための手段】
【０００７】  上述の目的を達成する本発明の殺虫剤組成物は、デンプン又は糖蜜などをアルコール発酵させて生成した発酵エタノール（ＣＨ３ＣＨ２ＯＨ）と、植物の種子や果汁、特にダイダイ・レモンなどに遊離状態で存在する結晶固体であり、アセトンジカルボン酸エステルにシアン化水素を反応させ、加水分解してつくるクエン酸（Ｃ６Ｈ８Ｏ７）、精製水を成分としたことを特徴とする。【０００８】  上述の、発酵エタノール、クエン酸、精製水は互いに容易に溶解する。
【発明の効果】
【０００９】  以上説明したように本発明によれば、人体に無害な殺虫剤組成物で構成されているため、食物や台所用品に留まった害虫に安心して、片手で使用できる圧力ポンプ式噴霧器で噴霧することが可能となる。この殺虫剤組成物を使用することで、噴射剤として、液化石油ガス（ＬＰＧ）や炭酸ガス、また窒素ガスなどを使用しなくてもよいので生産効率上また製造効率上極めて有効である。
【発明を実施するための最良の形態】
【００１０】  本発明の殺虫剤組成物は水溶剤の製剤型で用い、従ってその製剤型に他の添加物を用いることができる。【００１１】  本発明の殺虫剤組成物を使用して、ハエに噴霧した結果、数秒でノックダウンした。
【実施例】
【００１２】  発酵エタノール６０％、クエン酸２％、精製水３８％を溶解する。加えて、殺虫剤組成物を注入した容器に片手で使用できる圧力ポンプ式噴霧器で噴霧する。【００１３】  以上、本発明の実施の形態及び実施例を説明したが、本発明の範囲はこれに限定されるものではない。
(57)【要約】      （修正有）【課題】  天然リンゴの粉末を使用し、ミネラル有効成分を、無添加の形で、美容に使用することを課題とする。【解決手段】りんごジュ−ス製造後の絞りカスから、乾燥し粉末にした天然りんごパウダ−を、入浴剤、石鹸、パックなどの方法で、美容に取り入れる。【選択図】  図１
2006232794.tif 000002
【特許請求の範囲】
【請求項１】
天然リンゴの粉末を、フィルタ−パックに入れたものを、浴槽に入れ使用する入浴剤。
【請求項２】
天然リンゴのパウダ−入り石鹸
【請求項３】
天然リンゴのパウダ−入りパック
【発明の詳細な説明】
【技術分野】
【０００１】本発明は、天然リンゴの粉末に関するものであり、リンゴの香りとミネラル成分を、無添加の形で美容に使用することを目的としたものである。
【背景技術】
【０００２】  従来は、天然リンゴ粉末を石鹸、パック、入浴剤に使用したものはなかった。
【特許文献１】  特開２０００−３０６８７５０号公報
【発明の開示】
【発明が解決しようとする課題】
【０００３】  リンゴジュ−ス製造後の絞りカスに、ミネラル成分が多く含まれていることに着目し、そのミネラル分を無添加という形で美容に取り入れることを課題とする。
【課題を解決するための手段】
【０００４】  この課題を解決するための請求項１の発明は、浴槽で使用できるように、天然リンゴの粉末を、フィルタ−パックに入れお湯の中で香りとミネラル成分が溶け込むようにしたものである。【０００５】  また、請求項２の発明は、天然リンゴの粉末を石鹸に混合させることにより、香りとミネラル成分を練り込ませたものである。【０００６】  さらに、請求項３は、天然リンゴ粉末の粒子を細かくし、カオリンと混合させたものを、ホホバオイルや、蜂蜜、水などを加え使用し、毛穴や皮脂の汚れを取り除き、ミネラル分を補給するパックである。
【発明の効果】
【０００７】  天然リンゴ、無添加天然由来の、りんごの香りとミネラル成分を美容に取り入れることが可能。
【発明を実施するための最良の形態】
【０００８】  図１の入浴剤は、天然リンゴの粉末を、フィルタ−パックに入れ、お湯の中で香りとミネラル成分が溶け込むようにする。さらに、この入浴剤には、よりリラックス効果を高めるため、ハ−ブを加えるとよい。【０００９】  図２の石鹸は、天然リンゴの粉末を、滑らかに練り込ませるため、リンゴ粉末の粒子を細かくし、ペ−スト状にして練り込ませる。さらに、これにハ−ブ精油を加え、美容効果を高めてもよい。【００１０】  図３のパックは、リンゴ粉末とカオリンのパウダ−類と、混合するホホバオイルや蜂蜜などの液体類とを別に袋詰めし、使用直前に混ぜて使用できるようにし保存料を省くように工夫を加える。
【産業上の利用可能性】  本発明に係る、天然りんごパウダ−は、リンゴジュ−スの絞りカスの再利用などにより、低コストで、量産できる事が、可能であるため産業上の利用可能性を有する。
【図面の簡単な説明】
【図１】  天然リンゴ入浴剤の正面図である。
【図２】  天然リンゴ石鹸の製造工程である。
【図３】  天然リンゴパックの正面図である。
【符号の説明】
１  フィルタ−パック
２  リンゴ粉末
３  リンゴ粉末とカオリンの混合物
４  ホホバオイルと蜂蜜の混合物
【図１】
2006232794.tif 000003
【図２】
2006232794.tif 000004
【図３】
2006232794.tif 000005
(57)【要約】      （修正有）【課題】自転車の飛び出しで交通事故が多発している方向指示きを付ける事により自転車の進行方向がはっきりと見分ける事ができさらに安全確認が可能となり事故防止につながる。【解決手段】自転車に方向指示きセンサを付け点滅させる。【選択図】図２
2006232252.tif 000002
【特許請求の範囲】
【請求項１】
自転車に方向指示きセンサーを付け点滅方法である
【発明の詳細な説明】
【技術分野】
【０００１】本発明は自転車の前後にセンサーを取り付けボタンは前のハンドルの左右につける
【背景技術】
【０００２】現在自転車の方向指示きの使用はない
【発明の開示】
【発明が解決しようとする課題】
【０００３】これは次のような問題点があった自転車の飛び出しで交通事故が多発している本発明は方向指示きを取り付ける事によって事故を減少させるものである。
【課題を解決する為の手段】
【０００４】自転車の飛び出し又は急に右により左によりしている事故防止をするための方向指示きの取り付けである
【発明の効果】
【０００５】方向指示きを自転車に取付ける事により、自転車の進行方向がはっきりと見分けることができさらに安全確認が可能となり事故防止につながる。
【発明を実施する為の最良の形態】
【０００６】以下本発明の実施例について説明する（１）自転の前のハンドルのところに方向指示きボタンをつける（２）自転車による交通事故を減少させるものである（３）自転車にセンサーをつけることにより進行方向がはっきり、わかる。（４）以上のような方向指示きで安全確認が可能となり事故防止となる（５）自転車の方向指示きの使用はない。
【図面の簡単な説明】
【０００７】
【図１】本発明の自転車にとり付ける図である
【図２】本発明の前の図である
【図３】本発明の後の図である
【符号の説明】
【０００８】〔図１〕（１）ネジでとめる        （２）センサー        （３）はめこみをしやすくしたものです〔図２〕（４）センサー        （５）センサー        （６）ボタン〔図３〕（７）後のセンサー        （８）とめる
【図１】
2006232252.tif 000003
【図２】
2006232252.tif 000004
【図３】
2006232252.tif 000005
(57)【要約】      （修正有）【課題】対岸に移動する舟は、流れの急の場合、安定して目標点に到達する事ができないという不都合がある。【解決手段】舟首と陸の固定物とを結んだロープと、舟首と舟尾に連結させた方向舵の操舵により動力を使用せず、安定した移動ができる舟とする。【選択図】なし【特許請求の範囲】
【請求項１】
陸上の固定物と舟の舟首とをロープで固定する構造
【請求項２】
舟首及び舟尾に有る舵を連結させ同時に同方向へ操舵出来る構造
【発明の詳細な説明】
【発明の詳細な説明】
【技術分野】
【０００１】本発明は、動力を使用せず固定物に固定したロープと水の流れを利用し複数の方向舵を使用した渡し舟である。
【背景技術】
【０００２】従来から有る渡し舟は動力又は人力、風力等により対岸に移動する物である。しかし、従来からある渡し舟は、流れが急の場合、対岸のポイントに接岸しようとすることは至難の業である。
【発明を実施するための最良の形態】
【０００３】この課題を解決するため陸上の固定物（立ち木、杭、車両等）にロープを固定させ、その反対のロープ端に舟の舟首を固定させ、複数の連結させた方向舵を操舵することによる安定した平行移動をすることができる。
【発明の効果】
【０００４】本発明により動力を必要とせず流れの緩急を問わず対岸に安定して接岸して、元の岸に戻ることができる。
2006232246.tif 000002
2006232246.tif 000003
(57)【要約】【課題】  長傘を収納する箇所がない従来の自転車に、傘収納箇所を設けた傘収納式自転車を提供する。【解決手段】  自転車の前面に取り付ける自転車カゴにおいて、カゴ内底の一方、縁寄りに傘挿入用の穴を設け、その穴は蓋で開閉自在とし、穴の下方向に傘本体を受ける円錐筒の傘受けをカゴ固定用の支軸に装着し、カゴ内の穴と傘受けによって傘の収納を可能にしたことを特徴とする傘収納式自転車。【選択図】  図１
2006232245.tif 000002
【特許請求の範囲】
【請求項１】
自転車の前面に取り付ける自転車カゴにおいて、カゴ内底面の一方、縁寄りに傘挿入用の穴を設け、その穴は蓋で開閉自在とし、穴の下方向には傘本体を受ける円錐筒の傘受けをカゴ固定用の支軸に装着し、カゴ内の穴と傘受けによって傘の収納を可能にしたことを特徴とする傘収納式自転車。
【発明の詳細な説明】
【技術分野】
【０００１】  本発明は自転車の前面に取り付ける自転車カゴに、荷物を入れる場合と同じ要領で、長傘をカゴの中に通して、自転車の前輪部に傘を装着することを可能にした、傘収納式自転車に関するものである。
【背景技術】
【０００２】  従来、自転車には長傘を収納する箇所がなく、長傘を持ち運ぶ時など図５に図示するように傘をハンドルにかけるか、もしくはサドル後部に差し入れたり、また片手運転しながら片手に所持することがほとんどであった。
【発明の開示】
【発明が解決しようとする課題】
【０００３】  そのために次のような問題点があった。
（イ）傘をサドル後部に差し入れる場合、傘本体（Ａ）は固定されるので危険はないが、ハンドルに傘をかけた場合、傘先端部（Ｃ）が自転車前輪（１２）に入ってしまうことがあり、怪我をする危険性があった。
（ロ）傘を手に持つ場合、傘の柄部Ｂの飛び出し部分が、走行中歩行者に危害をあたえてしまう危険性がある。
本発明は、以上の問題点を解決するためになされたものである。
【課題を解決するための手段】
【０００４】  自転車の前面に取り付ける自転車カゴにおいて、カゴ内底面の一方、縁よりに傘挿用の穴を設ける。
その穴には開閉自在の蓋を設けて、穴の下方向に傘本体を受ける円錐筒の傘受けをカゴ固定用の支軸に装着し、カゴ内の穴と傘受けによって、傘の収納を可能にしたことを、特徴とする傘収納式自転車である。
【発明の効果】
【０００５】  本発明は、自転車前面に取り付ける自転車カゴにおいて、上記、挿入用穴（２）と傘受け（５）をもって、傘の収納を可能にする事ができる。
よって傘による危険性がなくなり安全に自転車運転ができる。
また、傘収納式自転車であるから、自転車に傘の収納箇所ができるので、手軽に傘の持ち運びができ大変便利である。
【発明を実施するための最良の形態】
【０００６】  以下、本発明の実施の形態を説明する。
（イ）カゴ（１）の内底面の一方、縁寄りに、円形状の傘挿入用の穴（２）を設ける。
（ロ）図２に示すように、穴（２）には、蝶番（４）を介して開閉式の蓋（３）を設ける。
（ハ）穴（２）の下方向には、傘本体を受ける、メッシュ、プラスチック、ステンレス材などからなる円錐筒の傘受け（５）を、カゴ固定用の支軸（６）に装着する。
（ニ）図３に示す傘受け（５）は、上面を開口部（７）とし、下端は貫通する傘受け穴（８）を設ける。
（ホ）また、図４に示すように、傘受け（５）には側面上部に固定片（９）を、側面下部傘受け穴（８）のところに固定片（１０）を設ける。
（ヘ）固定片（９）は、固定支軸（６）に取り付け、また、固定片（１０）は車軸（１１）の側面に取り付ける。
本発明は、以上の構成によりなっている。
本発明を使用するときは、カゴ内の蓋（３）を開け傘挿入穴（２）に傘（Ａ）を挿入し、傘受け（５）で収納する。
傘受け開口部（７）から挿入した傘は、傘受け穴（８）があるために、傘先端部（Ｃ）が傘受け穴（８）より下に抜け出ても、傘本体（Ａ）は傘受け穴（８）で受け止められ、傘の収納ができる。
この結果、前記、傘による危険性がなくなり、安全に自転車運転ができる。
なお、傘収納式自転車であるから、自転車に傘の収納箇所ができるので、手軽に傘の持ち運びができる。
また、傘収納時以外は、穴（２）には物が落ち出ないよう蓋（３）を設けてあるので、蓋を閉め通常のカゴとして使用できる。
上記、傘収納式自転車である本発明は、傘挿入用の穴（２）及び、蓋（３）からなるカゴと、開口部（７）と傘受け穴（８）からなる傘受けで構成されているので、どちらかが破損した場合、個々に取り替えることができる。
【図面の簡単な説明】
【０００７】
【図１】本発明の斜視図
【図２】本発明の要部拡大斜視図
【図３】本発明の一部断面正面図
【図４】本発明の要部拡大断面図
【図５】従来の状況を示す斜視図
【符号の説明】
【０００８】  １  カゴ本体
２  挿入用穴
３  穴蓋
４  蓋の蝶番
５  傘受け
６  カゴ固定支軸
７  開口部
８  受け穴
９  固定片
１０  固定片
１１  車軸
１２  前輪
Ａ  傘本体
Ｂ  柄部
Ｃ  先端部
【図１】
2006232245.tif 000003
【図２】
2006232245.tif 000004
【図３】
2006232245.tif 000005
【図４】
2006232245.tif 000006
【図５】
2006232245.tif 000007